(57)【要約】【課題】フレキシブルキーに割り付けた機能の内容のシートへの書き込み作業を簡単とする。割り付けた機能の内容を間違わないでシートに書き込むことができるようにする。【解決手段】パネル７の取り外しをスイッチ８によって検出する。パネル７が取り外された場合、ＬＣＤ３に各フレキシブルキー１に割り付けられている機能の内容を表示する。また、機能が割り付けられているフレキシブルキー１に付設されているＬＥＤ２を点灯させる。この場合、オートダイヤルキーは「緑色」、外線キーは「黄色」、機能キーは「赤色」などというように、割り付けられている機能の種別によってＬＥＤ２の点灯色を変える。【選択図】  図１
2007096874.tif 000002
【特許請求の範囲】
【請求項１】
各種機能が変更可能に割り付けられるキー群と、
前記キー群の前面に着脱可能にセットされるパネルと、
前記パネルが取り外された場合、前記キー群の各キーに割り付けられている機能の内容を表示する手段と
を備えたことを特徴とするボタン電話装置。
【請求項２】
請求項２に記載されたボタン電話装置において、
前記パネルが取り外された場合、前記キー群の各キーに対してその機能の割り付け状況を表示する手段
を備えたことを特徴とするボタン電話装置。
【請求項３】
各種の情報を表示するディスプレイと、
各種機能が変更可能に割り付けられるキー群と、
前記キー群の前面に着脱可能にセットされるパネルと、
前記パネルの取り外しを検出するスイッチと、
前記スイッチからの前記パネルが取り外されたことを示す信号を受けて、前記ディスプレイに、前記キー群の各キーに割り付けられている機能の内容を表示する手段と
を備えたことを特徴とするボタン電話装置。
【請求項４】
請求項３に記載されたボタン電話装置において、
前記スイッチからの前記パネルが取り外されたことを示す信号を受けて、前記キー群の各キーに対応して設けられたランプの内、機能が割り付けられているキーに対応するランプを点灯させる手段
を備えたことを特徴とするボタン電話装置。
【発明の詳細な説明】
【技術分野】
【０００１】
この発明は、各種機能が変更可能に割り付けられるキー群を有するボタン電話装置に関するものである。
【背景技術】
【０００２】
ボタン電話装置は、一般に、主装置と、この主装置に接続される複数のボタン電話機とから構成されている。ボタン電話機は、各種機能が変更可能に割り付けられるキー群として、多数のフレキシブルキーを備えている。フレキシブルキーには、電話番号が割り付けられたり、回線が割り付けられたり、「留守番」などの機能が割り付けられたりする（特許文献１参照）。
【０００３】
例えば、フレキシブルキーに電話番号を割り付けると、そのキーがオートダイヤルキーとなる。フレキシブルキーに回線を割り付けると、そのキーが外線を捕捉する外線キーとなる。フレキシブルキーに「留守番」を割り付けると、そのキーが留守番電話へのモード切替キー（機能キー）となる。このフレキシブルキーへの各種機能（オートダイヤルキー、外線キー、機能キーなど）の割り付けは必要に応じて変更することが可能である。
【０００４】
フレキシブルキー（キー群）の前面には着脱可能に透明のパネルがセットされる。パネルとフレキシブルキー（キー群）との間にはシートが挟み込まれる。このシートには、フレキシブルキーに対応する位置に、そのフレキシブルキーに割り付けた機能の内容を書き込む。例えば、オートダイヤルキーに対しては、そのキーに割り付けた電話番号の相手先を書き込む。外線キーに対しては外線番号を書き込む。機能キーに対しては機能名を書き込む。
【０００５】
【特許文献１】特開平７−２０３５０７号公報
【発明の開示】
【発明が解決しようとする課題】
【０００６】
しかしながら、従来のボタン電話装置では、フレキシブルキーに割り付けた機能の内容のシートへの書き込み作業が面倒であり、間違いも多かった。
例えば、利用開始時、所望の電話番号をフレキシブルキーに選択的に割り付けて、オートダイヤルキーとする。この場合、パネルをセットした状態で電話番号の割り付けを行い、割り付け作業の完了後、パネルを取り外し、パネルとの間に挟まれていたシートを取り出す。そして、このシートに、各キーに割り付けた電話番号の相手先を書き込む。この時、どのキーに誰の電話番号を割り付けたのかが分からなくなってしまう。
このため、電話番号の割り付けを行いながら、割り付けたキーと電話番号の相手先との対応関係をメモに書き残すという作業が必要となる。また、割り付けたキーと電話番号の相手先との対応関係をメモに書き残す際にミスが生じる虞れが高く、間違いが多くなる。
なお、割り付けた機能の一覧をディスプレイに呼び出せば、割り付けたキーと電話番号の相手先との対応関係をメモに書き残すというような作業は必要なくなり、間違いも少なくなる。しかし、割り付けた機能の一覧を呼び出すために複雑な操作を行わなければならず、フレキシブルキーに割り付けた機能の内容のシートへの書き込み作業は簡単とはならない。
【０００７】
本発明は、このような課題を解決するためになされたもので、その目的とするところは、フレキシブルキーに割り付けた機能の内容のシートへの書き込み作業を簡単とすることができ、割り付けた機能の内容をシートに間違わないで書き込むことができるボタン電話装置を提供することにある。
【課題を解決するための手段】
【０００８】
このような目的を達成するために、第１発明（請求項１に係る発明）は、各種機能が変更可能に割り付けられるキー群の前面に着脱可能にセットされるパネルが取り外された場合、キー群の各キー（フレキシブルキー）に割り付けられている機能の内容を表示するようにしたものである。
例えば、パネルが取り外された場合、ＬＣＤなどのディスプレイに各フレキシブルキーに割り付けられている機能の内容を表示するようにする。例えば、オートダイヤルキーであれば、そのキーに割り付けられている電話番号、相手先の名称などを表示する。これにより、各フレキシブルキーに割り付けられている機能の内容を即座に知ることができるようになる。
なお、パネルを外した状態で表示される機能の内容を簡易表示とし、簡易表示中の所望のフレキシブルキーを押下することにより、その詳細な内容が表示されるなどとしてもよい。また、一画面に全てのフレキシブルキーに割り付けられている機能の内容を表示することができない場合には、スクロール可能に表示するようにしてもよい。
【０００９】
第２発明（請求項２に係る発明）は、第１発明において、各種機能が変更可能に割り付けられるキー群の前面に着脱可能にセットされるパネルが取り外された場合、キー群の各キー（フレキシブルキー）に対してその機能の割り付け状況を表示するようにしたものである。
例えば、各フレキシブルキーに対してＬＥＤなどのランプを設け、パネルが取り外された場合、機能が割り付けられているフレキシブルキーのランプを点灯させるようにする。これにより、各フレキシブルキーに対する機能の割り付け状況が一目で分かる。
なお、オートダイヤルキーは「緑色」、外線キーは「黄色」、機能キーは「赤色」などというようにそのランプの点灯色を変えれば、各フレキシブルキーに割り付けられている機能の種別を一目で知ることも可能となる。
【発明の効果】
【００１０】
本発明によれば、パネルが取り外された場合、各フレキシブルキーに割り付けられている機能の内容が表示されるので、各フレキシブルキーに割り付けられている機能の内容を即座に知ることができるようになる。これにより、割り付けたキーと機能の内容との対応関係をメモに書き残すというような作業を行わなくてもよくなり、また割り付けた機能の一覧を複雑な操作を行って呼び出さなくてもよくなり、フレキシブルキーに割り付けた機能の内容のシートへの書き込み作業が簡単となる。また、割り付けた機能の内容をシートに間違わないで書き込むことができるようになる。
また、本発明によれば、パネルが取り外された場合、各フレキシブルキーに対してその機能の割り付け状況を表示することにより、各フレキシブルキーに対する機能の割り付け状況が一目で分かるようになり、どのくらい未割り付けのキーが残されているのかなど、その位置も含めて即座に知ることが可能となる。
【発明を実施するための最良の形態】
【００１１】
以下、本発明を図面に基づいて詳細に説明する。図１はこの発明の一実施の形態を示すボタン電話装置におけるボタン電話機の正面図である。
【００１２】
このボタン電話機１００には、各種機能が変更可能に割り付けられるキー群Ｋｙとして、合計３６個（６行×６列）のフレキシブルキー１が設けられている。各フレキシブルキー１には、その点灯色が「緑」，「黄」，「赤」の３色に選択的に切り替えられるＬＥＤ２が付設されている。なお、３はＬＣＤ（液晶表示部）、４はカーソルキー（十字キー）、５はテンキー、６はハンドセットである。
【００１３】
キー群Ｋｙの前面には、図１に太い実線で示すように、透明のパネル７が着脱可能にセットされている。また、このパネル７が取り外されたことを検出するスイッチ８が設けられている。本実施の形態では、パネル７の係合爪が嵌り込む位置にスイッチ８としてリミットスイッチを設け、このリミットスイッチがパネル７の係合爪が離れることによってオフとなった時をパネル７が取り外されたものとして検出する。パネル７とキー群Ｋｙとの間にはシート９が挟み込まれている。
【００１４】
図２にこのボタン電話機１００およびこのボタン電話機１００と接続される主装置２００のハード構成の概略を示す。ボタン電話機１００は、ＣＰＵ１０とＲＯＭ１１とＲＡＭ１２を備え、インターフェース１３を介して主装置２００と接続されている。主装置２００は、ＣＰＵ１４とＲＯＭ１５とＲＡＭ１６を備え、インターフェース１７を介してボタン電話機１００と接続されている。なお、図２は要部のみを示しており、主装置２００には、外線との接続部やそれに関連する制御部なども設けられている。
【００１５】
ボタン電話機１００のＣＰＵ１０は、フレキシブルキー１，ＬＥＤ２、ＬＣＤ３，カーソルキー４，テンキー５，ハンドセット６，スイッチ８，ＲＯＭ１１，ＲＡＭ１２，インターフェース１３などと接続され、ＲＡＭ１２にアクセスしながら、ＲＯＭ１１に格納されたプログラムに従って動作する。主装置２００のＣＰＵ１４は、ＲＡＭ１６にアクセスしながら、ＲＯＭ１５に格納されたプログラムに従って動作する。ボタン電話機１００のＲＯＭ１１、主装置２００のＲＯＭ１５には、本実施の形態特有のプログラムとして、フレキシブルキーに対して割り付けられた機能の内容および機能の割り付け状況を表示するフレキシブルキー機能表示プログラムが分散して格納されている。
【００１６】
以下、図３に示すシーケンス図を参照して、フレキシブルキー機能表示プログラムに従ってボタン電話機１００のＣＰＵ１０および主装置２００のＣＰＵ１４が実行する処理動作について説明する。
【００１７】
〔通常時〕
ボタン電話機１００にパネル７がセットされている状態を通常の状態とする。この通常の状態において、主装置２００のＣＰＵ１４は、ボタン電話機１００へアイドル表示指示（図３：矢印（１））を与える。このアイドル表示指示を受けて、ボタン電話機１００のＣＰＵ１０は、ＬＣＤ３の表示を通常の表示状態（アイドル表示）とする（ステップＳ１）。
〔フレキシブルキーへの機能の割り付け〕
利用開始時、ユーザは、パネル７がセットされている状態で、所望の電話番号をフレキシブルキー１に選択的に割り付ける。電話番号が割り付けられたフレキシブルキー１はオートダイヤルキーとなる。
【００１８】
なお、本実施の形態において、外線キーや機能キーなどの設定は、既に工事業者が行っているものとする。また、その設定された外線キーや機能キーについは、既にシート９に書き込まれているものとする。
【００１９】
〔パネルオープン〕
ユーザは、フレキシブルキー１への電話番号の割り付け作業の完了後、パネル７を取り外し、シート９を取り出す（ステップＳ２）。すると、ボタン電話機１００のＣＰＵ１０は、スイッチ８からの信号に基づいてパネル７が取り外されたことを認識し、その旨を主装置２００へ知らせる（図３：矢印（２））。
【００２０】
主装置２００のＣＰＵ１４は、ボタン電話機１００からのパネル７が取り外された旨の知らせを受けて、ボタン電話機１００に対してボタン割付表示およびＬＥＤ点灯指示を与える（図３：矢印（３））。
【００２１】
ボタン電話装置１００のＣＰＵ１０は、主装置２００からのボタン割付表示指示およびＬＥＤ点灯指示を受けて、各フレキシブルキー１に割り付けられている機能の内容をＬＣＤ３に表示すると共に、各フレキシブルキー１に対する機能の割り付け状況をそのキーに付設されているＬＥＤ２の点灯／消灯およびその点灯色で表示する（ステップＳ３）。
【００２２】
なお、フレキシブルキー１に割り付けられている機能の種別や内容は、主装置２００において管理されている。すなわち、ボタン電話機１００でフレキシブルキー１に機能を割り付けると、その割り付けた機能の種別および内容が主装置２００へ送られ、主装置２００のＲＡＭ１６に記憶される。主装置２００のＣＰＵ１４は、このＲＡＭ１６に記憶されているフレキシブルキー１に割り付けられている機能の種別および内容を読み出し、ボタン電話機１００に対してボタン割付表示およびＬＥＤ点灯指示を与える。
【００２３】
図４にＬＣＤ３における各フレキシブルキー１に割り付けられている機能の内容の表示例を示す。この例では、カーソルキー４によってスクロール可能に、各フレキシブルキー１に割り付けられている機能の内容をＬＣＤ３に表示する。例えば、「＃０１」を第１番目のフレキシブルキー１−１とし、このフレキシブルキー１−１に電話番号が割り付けられているものとした場合、フレキシブルキー１−１に割り付けられている機能の内容として「相手先の名称」と「電話番号」を表示する。
【００２４】
これにより、ユーザは、ＬＣＤ３の画面上で、各フレキシブルキー１に割り付けられている機能の内容を即座に知ることができ、直ちにフレキシブルキー１に割り付けた機能の内容のシート９への書き込みを行うことができる。したがって、ユーザは、割り付けたキーと機能の内容との対応関係をメモに書き残すというような作業を行ったり、割り付けた機能の一覧を複雑な操作を行ってＬＣＤ３の画面上に呼び出したりというような余計な作業を行わなくてもよく、フレキシブルキー１に割り付けた機能の内容のシート９への書き込み作業が簡単となる。また、ＬＣＤ３の画面上に表示される内容に従うことにより、割り付けた機能の内容をシートに間違わないで書き込むことができるようになる。
【００２５】
図５にＬＥＤ２の点灯／消灯および点灯色による各フレキシブルキー１に対する機能の割り付け状況の表示例を示す。例えば、フレキシブルキー１−１，１−２，１−１５に「留守番」などの機能が割り付けられていた場合、そのキーに付設されているＬＥＤ２−１，２−２，２−１５を赤色で点灯する。フレキシブルキー１−２５〜１−３０に電話番号が割り付けられていた場合、そのキーに付設されているＬＥＤ２−２５〜２−３０を緑色で点灯する。フレキシブルキー１−３１，１−３２，１−３３に回線が割り付けられていた場合、そのキーに付設されているＬＥＤ２−３１，２−３２，２−３３を黄色で点灯する。
【００２６】
これにより、ユーザは、ＬＥＤ２が点灯している場合にはそのＬＥＤが付設されたフレキシブルキー１に対して機能が既に割り付けられていることが分かり、ＬＥＤ２が消灯している場合にはそのＬＥＤが付設されたフレキシブルキー１に対して機能が未だ割り付けられていないことが分かる。また、ＬＥＤ２の点灯色によって、「赤色」である場合にはそのＬＥＤが付設されたフレキシブルキー１が機能キーとされていることが分かり、「緑色」である場合にはそのＬＥＤが付設されたフレキシブルキー１がオートダイヤルキーとされていることが分かり、「黄色」である場合にはそのＬＥＤが付設されたフレキシブルキー１が回線キーとされていることが分かる。
【００２７】
このＬＥＤ２の点灯／消灯による割り付け状況の表示により、どのくらい未割り付けのキーが残されているのかなど、その位置も含めて即座に知ることが可能となる。この状態で、フレキシブルキー１への機能の割り付けを行うようにすれば、未割り付けのフレキシブルキー１が一目で分かるので、その割り付け作業が楽となる。また、ＬＥＤ２の点灯色による割り付けられた機能の種別の表示により、例えばオートダイヤルキー、外線キー、機能キーなどの機能別に設定エリアを定めるようにしたような場合、オートダイヤルキーが機能キーのエリアにあるなどの設定ミスを一目で知ることが可能なる。
【００２８】
〔パネルクローズ〕
ユーザは、フレキシブルキー１に割り付けた機能の内容のシート９への書き込み作業を完了すると、シート９を間に挾んでパネル７をセットする（ステップＳ４）。すると、ボタン電話機１００のＣＰＵ１０は、スイッチ８からの信号に基づいてパネル７がセットされたことを認識し、その旨を主装置２００へ知らせる（図３：矢印（４））。
【００２９】
主装置２００のＣＰＵ１４は、ボタン電話機１００からのパネル７がセットされた旨の知らせを受けて、ボタン電話機１００に対してアイドル表示指示を送る（図３：矢印（５））。このアイドル表示指示を受けて、ボタン電話機１００のＣＰＵ１０は、ＬＣＤ３の表示を通常の表示状態（アイドル表示）に戻す（ステップＳ５）。
【００３０】
なお、上述した実施の形態では、各フレキシブルキー１に割り付けられている機能の内容をＬＣＤ３にスクロール可能に表示するようにしたが、ＬＣＤ３に表示される機能の内容を簡易表示（図６参照）とし、簡易表示中の所望のフレキシブルキー１を押下することにより、その詳細な内容がＬＣＤ３に表示されるようにするなどとしてもよい。
【００３１】
また、上述した実施の形態では、パネル７が取り外された場合、各フレキシブルキー１に割り付けられている機能の内容をＬＣＤ３に表示すると共に、ＬＥＤ２の点灯／消灯および点灯色によって各フレキシブルキー１に対する機能の割り付け状況を表示するようにしたが、各フレキシブルキー１に割り付けられている機能の内容のＬＣＤ３への表示のみとしてもよい。
【００３２】
また、上述した実施の形態では、ＬＥＤ２を３色で点灯させるようにしたが、１色としてもよい。１色とすると、機能の種別を知ることはできないが、点灯／消灯によって機能が割り付けられているか否かは知ることが可能である。
また、上述した実施の形態では、ボタン電話機１００と主装置２００とにより構成されるボタン電話装置を例にとって説明したが、ボタン電話機１００単独で同様の処理を行わせるようにしてもよい。この場合、ボタン電話機１００が本発明でいうボタン電話装置となる。
【図面の簡単な説明】
【００３３】
【図１】本発明の一実施の形態を示すボタン電話装置におけるボタン電話機の正面図である。
【図２】このボタン電話機およびこのボタン電話機と接続される主装置のハード構成の概略を示す図である。
【図３】このボタン電話機および主装置に分散して格納されたフレキシブルキー機能表示プログラムに従うＣＰＵの処理動作を説明するシーケンス図である。
【図４】各フレキシブルキーに割り付けられている機能の内容の表示例を示す図である。
【図５】各フレキシブルキーに対する機能の割り付け状況の表示例を示す図である。
【図６】各フレキシブルキーの機能の内容の簡易表示例を示す図である。
【符号の説明】
【００３４】
１…フレキシブルキー、２…ＬＥＤ、３…ＬＣＤ、４…カーソルキー、５…テンキー、６……ンドセット、７…パネル、８…スイッチ、９…シート、１０…ＣＰＵ、１１…ＲＯＭ、１２…ＲＡＭ、１３…インターフェース、１４…ＣＰＵ、１５…ＲＯＭ、１６…ＲＡＭ、１７…インターフェース、１００…ボタン電話機、２００…主装置。
【図１】
2007096874.tif 000003
【図２】
2007096874.tif 000004
【図３】
2007096874.tif 000005
【図４】
2007096874.tif 000006
【図５】
2007096874.tif 000007
【図６】
2007096874.tif 000008